【手続補正書】
【提出日】平成20年2月21日(2008.2.21)
【手続補正１】
【補正対象書類名】特許請求の範囲
【補正対象項目名】全文
【補正方法】変更
【補正の内容】
【特許請求の範囲】
【請求項１】
液体熱可塑性材料を分配する装置であって、
第１の側面、および前記液体熱可塑性材料を受け取る少なくとも１つの通路を有する第１の構成部材を備え、
前記通路は、前記第１の側面に開口を有し、前記第１の構成部材はさらに、前記第１の側面に、前記第１の構成部材に部分的にのみ延びた凹部または第２の構成部材に部分的にのみ延びるように構成された凸部の一方として構成される第１の相互作用面を有し、前記第１の相互作用表面は、前記第２の構成部材の第２の相互作用面と協働するようになっており、それにより、前記第１の構成部材を前記第２の構成部材に少なくとも部分的に支持するか、または前記第２の構成部材を前記第１の構成部材に少なくとも部分的に支持することができる、装置。
【請求項２】
前記第１の構成部材は、分配モジュールを前記第１の側面に保持するように構成されたガンマニホールドである、請求項１に記載の装置。
【請求項３】
前記第２の構成部材をさらに備え、該第２の構成部材は、分配モジュールであって、前記第１の相互作用面に相補的な第２の相互作用面を有するとともに、前記第１の相互作用面および前記第２の相互作用面が協働して前記分配モジュールが前記ガンマニホールドに少なくとも部分的に支持されるように構成される分配モジュールである、請求項２に記載の装置。
【請求項４】
前記第１の構成部材は、前記液体熱可塑性材料を選択的に分配する弁を有する分配モジュールである、請求項１に記載の装置。
【請求項５】
前記第１の相互作用面は、前記第１の構成部材が第１の向きにあるときに前記第２の相互作用面と協働して前記第１の構成部材および前記第２の構成部材の一方を前記第１の構成部材および前記第２の構成部材の他方に自立させ、前記第１の構成部材が前記第１の向きとは反対の第２の向きにあるときには前記第２の相互作用面と協働せず前記第１の構成部材および前記第２の構成部材の一方を前記第１の構成部材および前記第２の構成部材の他方に自立させないように非対称な形状をしている、請求項１に記載の装置。
【請求項６】
第２の相互作用面を有する前記第２の構成部材をさらに備え、前記第１の相互作用面および前記第２の相互作用面は協働して前記第１の構成部材を前記第２の構成部材に自立させるようにする、請求項１に記載の装置。
【請求項７】
前記第１の構成部材はさらに第１の空気用ポートを備え、
前記第２の構成部材はさらに第２の空気用ポートを備え、
前記第１の相互作用面および前記第２の相互作用面が協働する際、前記第１の空気用ポートが前記第２の空気用ポートと連通する、請求項６に記載の装置。
【請求項８】
前記第１の相互作用面は、前記第１の空気用ポートが前記第２の空気用ポートと整合したときにのみ前記第１および前記第２の相互作用面が協働するように非対称な湾曲面を有する、請求項７に記載の装置。
【請求項９】
前記非対称な湾曲面はさらに、曲率半径が異なる対向した曲線面を有する、請求項７に記載の装置。
【請求項１０】
前記第１の相互作用面および前記第２の相互作用面はさらに、協働して前記第１の空気用ポートと第２の空気用ポートを整合させるようにする、請求項７に記載の装置。
【請求項１１】
前記第１の構成部材は、分配モジュールとマニホールドとの間に概ね配置されるように構成されるアダプタである、請求項１に記載の装置。
【請求項１２】
前記第１の相互作用面はさらに、前記第２の相互作用面により少なくとも部分的に画定される凸部を受け入れる凹状スペースを間に画定する対向する曲線面を有する、請求項１に記載の装置。
【請求項１３】
前記第１の相互作用面はさらに、間に凸部を画定する対向する曲線面を有し、該凸部は、前記第２の相互作用面により少なくとも部分的に画定される凹状スペースに受け入れられるように構成される、請求項１に記載の装置。
【請求項１４】
前記凹部および前記凸部はそれぞれほぼボウタイ形状になっている、請求項１に記載の装置。
【請求項１５】
前記凹部および前記凸部は、
（ａ）矩形、
（ｂ）複数の傾斜面部、
（ｃ）対向する湾曲部を有するほぼ矩形の形状、および
（ｄ）鳩尾状
からなる群から選択される形状を有する、請求項１に記載の装置。
【請求項１６】
前記第１の相互作用面はさらに、第１のリップを形成する第１のアンダーカットを有する凸部を備える、請求項１に記載の装置。
【請求項１７】
前記第１のリップに対向する関係の第２のリップを形成する第２のアンダーカットをさらに有する、請求項１６に記載の装置。
【請求項１８】
前記第１のリップおよび前記第２のリップは、対向する面取り面を有する、請求項１７に記載の装置。
【請求項１９】
液体熱可塑性材料を分配する装置であって、
第１の面を有する第１の構成部材であって、該第１の面は第１の相互作用面および第１の液体用ポートを有し、前記第１の相互作用面は、前記第１の構成部材に部分的にのみ延びた凹部として形成される、第１の構成部材と、
第２の面を有する第２の構成部材であって、該第２の面は前記第１の相互作用面に相補的な第２の相互作用面および第２の液体用ポートを有し、前記第２の相互作用面は、凸部として形成される、第２の構成部材と
を備え、
前記凹部および前記凸部は協働して前記第１の液体用ポートと前記第２の液体用ポートを整合させるとともに前記第１の構成部材および前記第２の構成部材の一方を前記第１の構成部材および前記第２の構成部材の他方に少なくとも部分的に支持するようにする、装置。
【請求項２０】
前記第１の構成部材はガンマニホールドである、請求項１９に記載の装置。
【請求項２１】
前記第２の構成部材は分配モジュールである、請求項１９に記載の装置。
【請求項２２】
前記第１の構成部材は分配モジュールである、請求項１９に記載の装置。
【請求項２３】
前記第２の構成部材はガンマニホールドである、請求項１９に記載の装置。
【請求項２４】
前記第１の相互作用面および前記第２の相互作用面は、前記第１の構成部材が第１の向きにあるときに協働して前記第１の構成部材および前記第２の構成部材の一方を前記第１の構成部材および前記第２の構成部材の他方に自立させ、前記第１の構成部材が前記第１の向きとは反対の第２の向きにあるときには協働せず前記第１および前記第２の構成部材の一方を前記第１および第２の構成部材の他方に自立させないように非対称な形状をしている、請求項１９に記載の装置。
【請求項２５】
前記第１の相互作用面および前記第２の相互作用面は協働して前記第１の構成部材が前記第２の構成部材に自立させるようにする、請求項１９に記載の装置。
【請求項２６】
前記第１の構成部材はさらに第１の空気用ポートを備え、前記第２の構成部材はさらに第２の空気用ポートを備え、
前記第１の相互作用面および前記第２の相互作用面が協働する際、前記第１の空気用ポートは前記第２の空気用ポートと連通する、請求項１９に記載の装置。
【請求項２７】
前記第１の相互作用面は、前記第１の液体用ポートが前記第２の液体用ポートと整合したときにのみ前記第１の相互作用面および第２の相互作用面が協働するような非対称な形状である、請求項２６に記載の装置。
【請求項２８】
前記第１の構成部材および前記第２の構成部材の一方は、分配モジュールとマニホールドとの間に概ね配置されるように構成されるアダプタである、請求項１９に記載の装置。
【請求項２９】
前記凹部は第１の組の曲線面間に画定され、
前記凸部は第２の組の曲線面間に画定される、請求項１９に記載の装置。
【請求項３０】
前記凹部および前記凸部はそれぞれほぼボウタイ形状になっている、請求項１９に記載の装置。
【請求項３１】
前記凹部および前記凸部は、
（ａ）矩形、
（ｂ）複数の傾斜面部、
（ｃ）対向する湾曲部を有するほぼ矩形の形状、および
（ｄ）鳩尾状
からなる群から選択される形状を有する、請求項１９に記載の装置。
【請求項３２】
前記凹部および前記凸部は、前記第１の構成部材および前記第２の構成部材の一方を前記第１の構成部材および第２の構成部材の他方に自立させる嵌合アンダーカットおよび関連するリップを有する、請求項１９に記載の装置。
【請求項３３】
前記リップは、対向する面取り面を有する、請求項３２に記載の装置。
【請求項３４】
液体熱可塑性材料分配装置の第１の構成部材を該液体熱可塑性材料分配装置の第２の構成部材に取り付ける方法であって、
前記第１の構成部材は、該第１の構成部材に部分的にのみ延びた凹部を有する第１の面を有し、前記第２の構成部材は、前記凹部に相補的な凸部を有するとともに、前記凹部および前記凸部が協働するように構成された第２の面を有し、前記第１の面および前記第２の面はさらに、それぞれ第１の液体用ポートおよび第２の液体用ポートを内部に有し、該方法は、
前記第１の構成部材の前記凹部を前記第２の構成部材の前記凸部と係合させることによって、前記第１の構成部材および前記第２の構成部材の一方を前記第１の構成部材および前記第２の構成部材の他方に少なくとも部分的に支持すること、
前記第１の液体用ポートと前記第２の液体用ポートを互いに流体連通するように整合させること、および
個別の締結具を用いて前記第１の構成部材を前記第２の構成部材に締結すること
を備える、方法。
【請求項３５】
前記第１の構成部材および前記第２の構成部材の一方を前記第１の構成部材および前記第２の構成部材の他方に少なくとも部分的に支持することはさらに、前記第１の構成部材および前記第２の構成部材の一方を前記第１の構成部材および前記第２の構成部材の他方に掛止することを有する、請求項３４に記載の方法。
【請求項３６】
前記第１の構成部材および前記第２の構成部材の一方を前記第１の構成部材および前記第２の構成部材他方に少なくとも部分的に支持することはさらに、前記第１の構成部材および前記第２の構成部材の一方を前記第１の構成部材および前記第２の構成部材の他方に完全に自立させることを有する、請求項３４に記載の方法。
【請求項３７】
前記第１の面は第１の空気用ポートをさらに備え、前記第２の面は第２の空気用ポートをさらに備え、該方法はさらに、
前記第１の空気用ポートと前記第２の空気用ポートを互いに流体連通するように整合させることを有する、請求項３４に記載の方法。
【請求項３８】
前記第１の構成部材の前記凹部を前記第２の構成部材の前記凸部と係合させることはさらに、
第１の曲線面を相補形状の第２の曲線面と係合させることを有する、請求項３４に記載の方法。
【請求項３９】
前記第１の構成部材および前記第２の構成部材は、分配モジュール、マニホールド、および該分配モジュールと該マニホールドを結合するアダプタからなる群から選択される２つの異なる構成部材である、請求項３４に記載の方法。